(57)【要約】【課題】  凹部が形成された面を対向させて上下に延在し水平移動可能な一対の濾板と、前記一対の濾板の間に配設されて上下に延在する中央板と、各濾板と中央板との間に配設されて上下に延在し、上下方向張力を印加され且つ屈曲部を形成しつつ上下移動可能な濾布と、中央板に形成されたスラリー吐出口に接続されたポンプとを備える全自動フィルタープレスであって、濾過時間が自動的に適正値になる全自動フィルタープレスを提供する。【解決手段】  凹部が形成された面を対向させて上下に延在し水平移動可能な一対の濾板と、前記一対の濾板の間に配設されて上下に延在する中央板と、各濾板と中央板との間に配設されて上下に延在し、上下方向張力を印加され且つ屈曲部を形成しつつ上下移動可能な濾布と、中央板に形成されたスラリー吐出口に接続されたポンプと、ポンプの負荷に基づいてポンプの作動を制御する制御装置とを備える。【選択図】  図１
2007260536.tif 000002
【特許請求の範囲】
【請求項１】
凹部が形成された面を対向させて上下に延在し水平移動可能な一対の濾板と、前記一対の濾板の間に配設されて上下に延在する中央板と、各濾板と中央板との間に配設されて上下に延在し、上下方向張力を印加され且つ屈曲部を形成しつつ上下移動可能な濾布と、中央板に形成されたスラリー吐出口に接続されたポンプと、ポンプの負荷に基づいてポンプの作動を制御する制御装置とを備えることを特徴とする全自動フィルタープレス。
【請求項２】
中央板に摺接し上下移動可能なケーキ掻き落とし部材を備えることを特徴とする請求項１に記載の全自動フィルタープレス。
【請求項３】
濾板から濾布へ向けて空気を吐出する空気吐出装置を備えることを特徴とする請求項１又は２に記載の全自動フィルタープレス。
【請求項４】
中央板も濾板であり、上下に延在しスラリー吐出口に対峙する開口が形成され開口周囲部が中央板に固定された濾布を備えることを特徴とする請求項１に記載の全自動フィルタープレス。
【請求項５】
中央板から中央板に固定された濾布へ向けて空気を吐出する空気吐出装置を備えることを特徴とする請求項４に記載の全自動フィルタープレス。
【請求項６】
スラリーの吐出圧力を調整する吐出圧力調整装置を備えることを特徴とする請求項請求項１乃至５の何れか１項に記載の全自動フィルタープレス。
【請求項７】
逆洗装置を備えることを特徴とする請求項請求項１乃至６の何れか１項に記載の全自動フィルタープレス。
【請求項８】
通信装置を備えることを特徴とする請求項請求項１乃至７の何れか１項に記載の全自動フィルタープレス。
【発明の詳細な説明】
【技術分野】
【０００１】
本発明は、全自動フィルタープレスに関するものである。
【背景技術】
【０００２】
凹部が形成された面を対向させて上下に延在し水平移動可能な一対の濾板と、前記一対の濾板の間に配設されて上下に延在する中央板と、各濾板と中央板との間に配設されて上下に延在し、上下方向張力を印加され且つ屈曲部を形成しつつ上下移動可能な濾布と、中央板に形成されたスラリー吐出口に接続されたポンプとを備えることを特徴とする全自動フィルタープレスが、特許文献１に開示されている。
上記のフィルタープレスにおいては、濾布を間に挟んで中央板と濾板とを当接させ濾板の凹部を密閉した状態で中央板のスラリー吐出口から濾板の凹部へ向けてスラリーを吐出させ、スラリー中の固形物を濾布で濾し取ると共に、濾布を通過したスラリー中の水分を濾板を介してフィルタープレス外へ排出する。濾布で濾し取られたスラリー中の固形物であるケーキが濾板の凹部に充満すると、濾板が水平移動して中央板から離れ、凹部からケーキが脱落する。上下方向の張力を印加された濾布が上下に移動し、濾布が屈曲する際に濾布に付着したケーキが濾布から剥離除去される。濾布からケーキが除去されると、濾板が水平移動し、濾布を間に挟んで中央板に当接し、濾板の凹部が密閉されて、スラリーの濾過が再開される。
特許文献１のフィルタープレスには、上下方向の張力を印加された濾布が屈曲部を形成しつつ上下に移動することにより、濾布からケーキを確実に除去できるという利点がある。
【特許文献１】特公平２−６２２８５号公報
【発明の開示】
【発明が解決しようとする課題】
【０００３】
特許文献１のフィルタープレスは、スラリー濃度に応じて設定された所定時間の濾過と、濾過停止後のケーキ除去とを自動的に繰り返す全自動フィルタープレスとして使用される。濾過時間はスラリー濃度に応じて人が設定しているので、設定値を間違えると、不適正な長時間の濾過により凹部内のケーキ密度が適正値を越えポンプが過負荷になって損傷し、或いは不適正な短時間の濾過の繰り返しによりスラリー処理効率が低下する、等の好ましくない事態を招くおそれがある。
本発明は上記問題に鑑みてなされたものであり、凹部が形成された面を対向させて上下に延在し水平移動可能な一対の濾板と、前記一対の濾板の間に配設されて上下に延在する中央板と、各濾板と中央板との間に配設されて上下に延在し、上下方向張力を印加され且つ屈曲部を形成しつつ上下移動可能な濾布と、中央板に形成されたスラリー吐出口に接続されたポンプとを備える全自動フィルタープレスであって、濾過時間が自動的に適正値になる全自動フィルタープレスを提供することを目的とする。
【課題を解決するための手段】
【０００４】
上記課題を解決するために、本発明においては、凹部が形成された面を対向させて上下に延在し水平移動可能な一対の濾板と、前記一対の濾板の間に配設されて上下に延在する中央板と、各濾板と中央板との間に配設されて上下に延在し、上下方向張力を印加され且つ屈曲部を形成しつつ上下移動可能な濾布と、中央板に形成されたスラリー吐出口に接続されたポンプと、ポンプの負荷に基づいてポンプの作動を制御する制御装置とを備えることを特徴とする全自動フィルタープレスを提供する。
濾板凹部内のケーキ密度が上昇するとスラリーを圧送するポンプの負荷も上昇する。本発明に係る全自動フィルタープレスにおいては、ポンプの負荷に基づいてポンプの作動が制御されるので、ポンプの負荷が上昇して所定値に達するとポンプが停止するように制御プログラムを組んでおけば、固形物濃度の低いスラリーを濾過する際には濾過時間は自動的に適正な長時間になり、固形物濃度の高いスラリーを濾過する際には濾過時間は自動的に適正な短時間になって、濾板凹部内のケーキ密度が適正値になった時点で自動的にポンプが停止することになる。この結果、不適正な長時間の濾過により凹部内のケーキ密度が適正値を越えポンプが過負荷になって損傷し、或いは不適正な短時間の濾過の繰り返しによりスラリー処理効率が低下する、等の好ましくない事態の発生が防止される。
【０００５】
全自動フィルタープレスが、中央板に摺接し上下移動可能なケーキ掻き落とし部材を備える場合には、中央板に付着したケーキが確実に除去される。
全自動フィルタープレスが、濾板から濾布へ向けて空気を吐出する空気吐出装置を備える場合には、凹部からケーキを確実に除去することができ、或いは凹部から除去するケーキを乾燥させてケーキの後処理を容易にすることができる。
中央板も濾板として構成し、上下に延在しスラリー吐出口に対峙する開口が形成された濾布を配設して開口周囲部を中央板に固定する場合には、濾過時間が短縮される。この場合、中央板から中央板に固定された濾布へ向けて空気を吐出することにより、中央板に固定された濾布からケーキを確実に除去することができ、或いは中央板に固定された濾布から除去するケーキを乾燥させてケーキの後処理を容易にすることができる。
【０００６】
全自動フィルタープレスが、スラリーの吐出圧力を調整する吐出圧力調整装置を備える場合には、スラリーの吐出開始時に吐出圧力を低めに調整し、その後吐出圧力を上昇させて、濾布の目詰まりを防止することができる。
全自動フィルタープレスが、逆洗装置を備える場合には、濾布を逆洗して濾布の目詰まりを解消することができる。
全自動フィルタープレスが、通信装置を備える場合には、保守要員は、通信装置を介して全自動フィルタープレスの作動状況を随時把握できるので、トラブル発生時に迅速に対処できる。
【発明の効果】
【０００７】
本発明により、凹部が形成された面を対向させて上下に延在し水平移動可能な一対の濾板と、前記一対の濾板の間に配設されて上下に延在する中央板と、各濾板と中央板との間に配設されて上下に延在し、上下方向張力を印加され且つ屈曲部を形成しつつ上下移動可能な濾布と、中央板に形成されたスラリー吐出口に接続されたポンプとを備える全自動フィルタープレスであって、濾過時間が自動的に適正値になる全自動フィルタープレスが提供される。
【発明を実施するための最良の形態】
【０００８】
本発明の実施例に係る全自動フィルタープレスを説明する。
【実施例１】
【０００９】
図１（ａ）に示すように、全自動フィルタープレス１は、凹部２ａが形成された面を対向させて上下に延在し水平移動可能な一対の濾板２と、前記一対の濾板２の間に配設されて上下に延在しスラリー吐出口３ａが形成された中央板３と、スラリー吐出口３ａに接続されたポンプ４と、各濾板２と中央板３との間に配設されて上下に延在する濾布５とを備えている。全自動フィルタープレス１は更に、中央板３に摺接する一対のブレード６ａを有し上下移動可能なケーキ掻き落とし部材６を備えている。濾布５の上端はケーキ掻き落とし部材６に固定されており、濾布５の下端に固定された錘７が、濾布５に上下方向の張力を印加している。濾板２の下端角部２ｂと濾板２の直下に配設されたピアノ線８とが濾布５に係合し、濾布５を乙状に屈曲させている。
全自動フィルタープレス１は、ポンプ４の消費電力、トルク等の計測値に基づいてポンプ４の負荷を検知し、当該負荷に基づいてポンプ４の作動を制御する制御装置９を備えている。
【００１０】
全自動フィルタープレス１の作動を説明する。
図１（ａ）に示すように、ケーキ掻き落とし部材６が中央板３の上方へ移動し、中央板３と濾板２とが濾布５を間に挟んで当接し、凹部２ａが密閉された状態で、ポンプ４が作動し、中央板３のスラリー吐出口３ａから濾板２の凹部２ａへ向けてスラリーを吐出させる。スラリー中の固形物を濾布５で濾し取ると共に、濾布５を通過したスラリー中の水分を濾板２に形成した図示しない排出穴を介して全自動フィルタープレス１外へ排出する。
濾過時間の経過と共に、濾布５で濾し取られたスラリー中の固形物であるケーキが濾板２の凹部２ａ内に蓄積され、凹部２ａ内のケーキ密度が上昇する。凹部２ａ内のケーキ密度の上昇に伴って、ポンプ４の負荷が上昇する。制御装置９は、ポンプ４の負荷が所定値まで上昇すると、凹部２ａ内のケーキ密度が所定値まで上昇したと判断して、ポンプ４の作動を停止させる。
図１（ｂ）に示すように、濾板２が水平移動して中央板３から離れ、凹部２ａからケーキが脱落する。ケーキ掻き落とし部材６が下方へ移動し、ブレード６ａが中央板３に摺接しつつ下方へ移動して、中央板３からケーキを掻き落とす。上下方向の張力を印加された濾布５が、ケーキ掻き落とし部材６に従動して下方へ移動する。濾布５が濾板２の下端角部２ｂと係合して屈曲する際に、濾布５に付着したケーキが濾布５から剥離除去され、濾布５がピアノ線８と係合して屈曲する際に、濾布５上に残存するケーキが濾布５から掻き落とされる。濾布５からケーキが除去されると、ケーキ掻き落とし部材６が中央板３の上方へ移動し、濾板２が水平移動し濾布５を間に挟んで中央板３に当接し、凹部２ａが密閉されて、スラリーの濾過が再開される。
スラリーの濾過と、濾過停止後のケーキ除去とが自動的に繰り返されて、スラリーの濾過が全自動で遂行される。
【００１１】
全自動フィルタープレス１には、上下方向の張力を印加された濾布５が屈曲部を形成しつつ上下に移動することにより、濾布５からケーキを確実に除去できるという利点がある。
ケーキ掻き落とし部材６の作動により、中央板３に付着したケーキが確実に除去される。
全自動フィルタープレス１においては、ポンプ４の負荷が上昇して所定値に達するとポンプ４を停止させるように、制御装置９の制御プログラムが組まれているので、固形物濃度の低いスラリーを濾過する際には濾過時間は自動的に適正な長時間になり、固形物濃度の高いスラリーを濾過する際には濾過時間は自動的に適正な短時間になって、凹部２ａ内のケーキ密度が適正値になった時点で自動的にポンプ４が停止することになる。この結果、不適正な長時間の濾過により凹部２ａ内のケーキ密度が適正値を越えポンプ４が過負荷になって損傷し、或いは不適正な短時間の濾過の繰り返しによりスラリー処理効率が低下する、等の好ましくない事態の発生が防止される。
【実施例２】
【００１２】
実施例１の全自動フィルタープレス１において、図２に示すように、濾板２の凹部２ａに対峙する凹部３ｂを中央板３に形成し、中央板３にも濾板２と同様の図示しない排出穴を形成して、中央板３を濾板として構成しても良い。この場合、ケーキ掻き落とし部材６は配設せず、濾布５は単独で上下移動させる。上下に延在しスラリー吐出口３ａに対峙する開口が形成された濾布１０を配設し、前記開口周囲部を中央板３のスラリー吐出口３ａ周囲部に固定し、更に濾布１０の周縁部を中央板３の周縁部に固定する。
スラリー吐出口３ａから凹部２ａ、３ｂへ向けて吐出したスラリー中の固形物を濾布５、１０で濾し取ると共に、濾布５、１０を通過したスラリー中の水分を濾板２、中央板３に形成した図示しない排出穴を介して全自動フィルタープレス１外へ排出する。濾過面積が増えるので、濾過時間が短縮される。
上述の場合、中央板３に形成した図示しない排出穴と当該排出穴に接続したエアポンプ等の空気供給源とにより構成される空気吐出装置を配設し、前記排出穴から濾布１０へ向けて空気を吐出しても良い。濾布１０からケーキを確実に除去することができ、或いは濾布１０から除去するケーキを乾燥させてケーキの後処理を容易にすることができる。
【実施例３】
【００１３】
濾板２に形成した図示しない排出穴と、排出穴に接続するエアポンプ等の空気供給源とから構成される空気吐出装置を配設し、前記排出穴から濾布５へ向けて空気を吐出しても良い。凹部２ａからケーキを確実に除去することができ、或いは凹部２ａから除去するケーキを乾燥させてケーキの後処理を容易にすることができる。
ポンプ４とスラリー吐出口３ａとの間にレギュレータを配設し、スラリーの吐出圧力を調整しても良い。スラリーの吐出開始時に吐出圧力を低めに調整し、その後吐出圧力を上昇させることにより、濾布５、１０の目詰まりを防止することができる。
濾板２、中央板３に形成した図示しない排出穴と、排出穴に接続する洗浄液貯留タンクと、洗浄液貯留タンクから洗浄液を排出穴に圧送するポンプとにより構成される逆洗装置を配設し、排出穴から濾布５、１０へ向けて洗浄液を吐出させて、濾布５、１０を逆洗しても良い。逆洗により、濾布５、１０の目詰まりを解消することができる。
全自動フィルタープレス１に、通信装置を配設しても良い。全自動フィルタープレス１の保守要員は、全自動フィルタープレス１から離れていても通信装置を介して全自動フィルタープレス１の作動状況を随時把握できるので、トラブル発生時に迅速に対処できる。
【産業上の利用可能性】
【００１４】
本発明は、全自動フィルタープレスに広く利用可能である。
【図面の簡単な説明】
【００１５】
【図１】本発明の第１実施例に係る全自動フィルタープレスの構造図である。
【図２】本発明の第２実施例に係る全自動フィルタープレスの構造図である。
【符号の説明】
【００１６】
１  全自動フィルタープレス
２  濾板
２ａ  凹部
２ｂ  下端角部
３  中央板
３ａ  スラリー吐出口
３ｂ  凹部
４  ポンプ
５、１０  濾布
６  ケーキ掻き落とし部材
６ａ  ブレード
７  錘
８  ピアノ線
９  制御装置
【図１】
2007260536.tif 000003
【図２】
2007260536.tif 000004